(57)【要約】      （修正有）【課題】潜水作業者による水深の認識性を高めることが可能なさがり綱を提供する。【解決手段】潜水作業者が潜降し、及び浮上するためのさがり綱１であって、所定間隔ごとに、金属又は樹脂との衝突時に衝撃を発生させる段差部が形成されたさがり綱１とすることにより、さがり綱１に掛けられ、ダイバーとさがり綱１をつなぐロープＲの先端のカラビナＣが、発光部１１を備える段差部に当たった際に衝撃が生じ、この衝撃がロープを伝わり、潜水作業者はこれを認識することができる。【選択図】図２
0003212588.tif 000002
【実用新案登録請求の範囲】
【請求項１】
潜水作業者が潜降し、及び浮上するためのさがり綱であって、
所定間隔ごとに、金属又は樹脂との衝突時に衝撃を発生させる段差部が形成されていることを特徴とするさがり綱。
【請求項２】
前記段差部の段差が金属又は樹脂によって形成されていることを特徴とする請求項１に記載のさがり綱。
【請求項３】
前記段差部が金属で形成されている場合、当該金属が被覆されていることを特徴とする請求項２に記載のさがり綱。
【請求項４】
前記段差部が、索体とは別体に形成され、その両端部において端末加工された索体と着脱可能に接合される接合部を有することを特徴とする請求項１から３の何れかに記載のさがり綱。
【請求項５】
前記段差部が、発光部を備えることを特徴とする請求項１から４の何れかに記載のさがり綱。
【請求項６】
前記発光部が、表面に露出した一対の電極を備え、前記発光部が水没することによって前記一対の電極が導通し、前記発光部の発光が開始されることを特徴とする請求項５に記載のさがり綱。
【請求項７】
前記発光部が、波長の長い可視光を発光し、点滅することを特徴とする請求項５又は６に記載のさがり綱。
【請求項８】
前記発光部が、深さに応じて異なる点滅方式で点滅することを特徴とする請求項５から７の何れかに記載のさがり綱。
【請求項９】
前記段差部が、蓄光部を備えることを特徴とする構成１から８の何れかに記載のさがり綱。
【請求項１０】
スイベルを備えることを特徴とする請求項１から９の何れかに記載のさがり綱。
【請求項１１】
前記段差部が、前記スイベルを有することを特徴とする請求項１０に記載のさがり綱。
【考案の詳細な説明】
【技術分野】
【０００１】
本考案は、潜水作業者が潜降し、及び浮上するためのさがり綱に関する。
【背景技術】
【０００２】
潜水作業時等における減圧症の防止やその他の事故防止の観点から、潜水作業時にはさがり綱を潜水作業者に使用させることが高気圧作業安全衛生規則に定められている。
さがり綱は、潜水作業者が潜降及び浮上するために使用する水深を表示したロープであり、高気圧作業安全衛生規則では３ｍごとの水深の表示が義務付けられている。
このようなさがり綱に関連した技術が、特許文献１によって開示されている。
【先行技術文献】
【特許文献】
【０００３】
【特許文献１】特開２０１３−１１２２０６
【考案の概要】
【考案が解決しようとする課題】
【０００４】
潜水作業者は、その作業（例えば、水難事故における捜索や救出）時には、図２に示されるように、さがり綱に、自らに締結しているロープのカラビナを掛け、当該ロープの長さの範囲で作業を行う。
従って、潜水作業者がさがり綱から一定距離離れて作業をしている際には、さがり綱に表示されている水深を視認できない場合がある。例えば水難事故が発生しているような状況においては、水中の視界が非常に悪い場合も多く、当該問題はより顕著となる。
【０００５】
本考案は、上記の点に鑑み、潜水作業者による水深の認識性を高めることが可能なさがり綱を提供することを目的とする。
【課題を解決するための手段】
【０００６】
（構成１）
潜水作業者が潜降し、及び浮上するためのさがり綱であって、所定間隔ごとに、金属又は樹脂との衝突時に衝撃を発生させる段差部が形成されていることを特徴とするさがり綱。
【０００７】
（構成２）
前記段差部の段差が金属又は樹脂によって形成されていることを特徴とする構成１に記載のさがり綱。
【０００８】
（構成３）
前記段差部が金属で形成されている場合、当該金属が被覆されていることを特徴とする構成２に記載のさがり綱。
【０００９】
（構成４）
前記段差部が、索体とは別体に形成され、その両端部において端末加工された索体と着脱可能に接合される接合部を有することを特徴とする構成１から３の何れかに記載のさがり綱。
【００１０】
（構成５）
前記段差部が、発光部を備えることを特徴とする構成１から４の何れかに記載のさがり綱。
【００１１】
（構成６）
前記発光部が、表面に露出した一対の電極を備え、前記発光部が水没することによって前記一対の電極が導通し、前記発光部の発光が開始されることを特徴とする構成５に記載のさがり綱。
【００１２】
（構成７）
前記発光部が、波長の長い可視光を発光し、点滅又は常に発光することを特徴とする構成５又は６に記載のさがり綱。
【００１３】
（構成８）
前記発光部が、深さに応じて異なる点滅方式で点滅することを特徴とする構成５から７の何れかに記載のさがり綱。
【００１４】
（構成９）
前記段差部が、蓄光部を備えることを特徴とする構成１から８の何れかに記載のさがり綱。
【００１５】
（構成１０）
スイベルを備えることを特徴とする構成１から９の何れかに記載のさがり綱。
【００１６】
（構成１１）
記段差部が、前記スイベルを有することを特徴とする構成１０に記載のさがり綱。
【考案の効果】
【００１７】
本考案のさがり綱によれば、金属又は樹脂との衝突時に衝撃を発生させる段差部が所定間隔ごとに形成されるため、さがり綱に掛けられたカラビナが段差部に当たった際に衝撃が生じ、この衝撃がロープを伝わり、潜水作業者はこれを認識することができる。即ち、潜水作業中に、“コツン”という感触をロープに感じることができ、これによって水深を認識することが可能となる。従って、水中の視界が非常に悪いような場合においても、潜水作業者による水深の認識性を高めることが可能となる。
【図面の簡単な説明】
【００１８】
【図１】本考案に係る実施形態のさがり綱を示す図
【図２】実施形態のさがり綱の使用状態を示す概略図
【図３】段差部（蓄光部）を示す図
【図４】段差部（発光部）の分解斜視図
【図５】発光部の回路を示す図
【考案を実施するための形態】
【００１９】
以下、本考案の実施態様について、図面を参照しながら具体的に説明する。なお、以下の実施態様は、本考案を具体化する際の一形態であって、本考案をその範囲内に限定するものではない。
【００２０】
図１は、本実施形態のさがり綱を示す図である。
さがり綱１は、潜水作業者が潜降し及び浮上するために使用するものであり、その一端が浮２に接続され、他端は錘３に接続されて水中に垂らされる。
図２が使用状態を示した図（見易さ等の観点から一部をデフォルメした概念図）であり、潜水作業者は、水中に垂らされたさがり綱１に、自らに締結しているロープＲのカラビナＣを掛け、ロープＲの長さの範囲で作業を行う。
【００２１】
さがり綱１は、両端部を端末加工されたロープ（索体）１２と、各ロープ１２を接続する発光部１１とによって構成される。
本実施形態では、各ロープ１２の両端にはネジエンドの端末金具Ｔが取り付けられており、発光部１１の両端には、端末金具Ｔのネジと螺合するネジ穴が設けられている。
本実施形態における発光部１１とロープ１２の１セットの長さは３ｍであり、相互に接続することで、任意の長さ（３ｍ単位）に調節することができる。
【００２２】
図４は、発光部１１の分解斜視図（ａ）と、発光部１１とロープ１２の接続を示した図（ｂ）である。
本実施形態における発光部１１は、内部に乾電池Ｂと発光回路部１１３を備える、基本態様が円筒状の部材であり、その直径がロープ１２の両端の端末金具Ｔの直径と略同一であり、端末金具Ｔと共に段差部を形成する。
発光部１１は、その両端部において、端末金具Ｔのネジと螺合するネジ穴を有する接合部材１１１、１１５と、発光回路部１１３と、当該発光回路部１１３の発光体（ＬＥＤ）部分が内部に嵌めこまれる透明部材１１２と、乾電池Ｂを収納する胴体部１１４と、を備える。また、パッキンであるＯリングＰが必要な個所に設けられている。
【００２３】
発光回路部１１３は、図５に示される回路によって構成され、図４に示されるように一対の電極ｅ１，ｅ２が突出するように設けられる。
発光回路部１１３の回路は、ＮＰＮ型のトランジスタ１１３１のエミッタ−コレクタ間に電源（乾電池Ｂ）と発光ダイオード１１３２が直列に接続され、一対の電極ｅ１，ｅ２は、それぞれ、発光ダイオード１１３２のアノード、トランジスタ１１３１のベースに接続される。また、ベース電流、コレクタ電流を調整するための抵抗がそれぞれ設けられている。
上記回路構成により、一対の電極ｅ１，ｅ２が導通すると、ベース電流が流れ、これによってトランジスタ１１３１がオンとなり、発光ダイオード１１３２が発光する。なお、本実施形態では、赤色の光を発する発光ダイオードを用いている。
【００２４】
発光回路部１１３は、透明樹脂で形成された透明部材１１２に収められる。透明部材１１２には孔ｈ１とｈ２が設けられており、ここに発光回路部１１３の一対の電極ｅ１，ｅ２がそれぞれ挿通された構成となることで、一対の電極ｅ１，ｅ２が表面に露出する。
発光回路部１１３を納めた透明部材１１２と胴体部１１４が螺合され、さらにその両端部において、接合部材１１１と１１５が螺合されることにより、発光部１１が形成される。
本実施形態における発光部１１は、透明部材１１２を除いて真鍮で形成され、樹脂で被覆されている。より具体的には、発光部１１は、熱収縮チューブによって透明部材１１２部分を除いてその外周を被覆されている。
【００２５】
各ロープ１２の両端の端末金具Ｔは（図４参照）、本実施形態ではアルミで形成された金具であり、その径がロープ１２より太く、ロープ１２との間で段差部を形成している。
端末金具Ｔは、ネジ形成部を除いて、樹脂で被覆されている。より具体的には、熱収縮チューブによってその外周を被覆されている。
なお、端末金具Ｔは、特開２００８−２４１１９９号公報や特開２０１０−９５８４２号公報で開示されている技術を用いると好適であるが、その他の金具で端末加工されるものであっても構わない。
なお、各ロープ１２は、それぞれ違う色で形成することにより、ロープの色で水深を識別できるようにしてある。
【００２６】
浮２は、図１に示されるように、上部に信号旗を有するフロート２１と、スイベル２２と、さがり綱１の上端側に取り付けられるアイボルト２５とを備え、これらの各部材を連結するためのカラビナ２３、２４を備えている。
【００２７】
錘３は、図１に示されるように、ウエイト３１と、カラビナ３２、３４と、スイベル３５と、アイボルト３３とによって構成される。アイボルト３３が、発光部１１の接合部材１１１若しくは接合部材１１５に形成されているネジ穴に対して螺合され、これがスイベル３５及びカラビナ３２、３４を介してウエイト３１と締結されることで、さがり綱１と錘３が接続される。
【００２８】
以上のごとく、本実施形態のさがり綱１は、所定間隔（本実施形態では３ｍ）ごとに、金属（カラビナ）との衝突時に衝撃を発生させる段差部が形成されるものである。金属で形成される段差部（端末金具Ｔ及び発光部１１）を有するため、さがり綱１に掛けられたダイバーのロープＲのカラビナＣが、段差部に当たることで衝撃が発生し、この衝撃がロープを伝わり、潜水作業者はこれを認識することができる。
即ち、ダイバーが潜降又は浮上することによりカラビナＣも上下に移動し、カラビナＣが段差部に当たった際に、ダイバーは“コツン”という感触をロープに感じることができ、これによって水深を認識すること（３ｍ潜降又は浮上したこと）が可能となるものである。従って、水中の視界が非常に悪いような場合においても、潜水作業者による水深の認識性を高めることが可能となる。
なお、カラビナＣは段差部（端末金具Ｔ及び発光部１１）より大きな内径を有するものを使用する。
【００２９】
また、本実施形態のさがり綱１は、所定間隔（本実施形態では３ｍ）ごとに設けられる各段差部が発光部（赤色光：波長の長い可視光）を備えているため、これによっても潜水作業者による水深の認識性を高めることが可能となる。水中では、光の吸収スペクトルの関係から青色を呈しているため、これの補色に近い色の光（赤〜黄色）を発する発光部を用いることで、視認性をより高めている。
なお、発光を点滅させることによってより視認性を高めるようにしてもよい。また、深さに応じて異なる点滅方式で点滅させること（例えば点滅スピードの変更等）により、点滅の違いで水深を認識できるようにしてもよい。
【００３０】
本実施形態のさがり綱１は、発光部１１が、表面に露出した一対の電極ｅ１，ｅ２を備えており、これが水没することによって導通し、発光が開始されるため、非常に利便性が高い。即ち、さがり綱１を水中に投じることで自動的に発光が開始され、さがり綱１を引き上げることで自動的に消灯するものであり、電力の無駄な消費を回避するためのスイッチ操作等が不要であり、非常に有用である。
【００３１】
なお、本実施形態では、段差部に発光部が備えられるものとしたが、発光部を有しないものであっても構わない。
また、段差部が金属によって形成されるものを例としているが、これに限られるものではない。金属（カラビナ）との衝突時に、ロープを介して“コツン”という感触をダイバーが認識できる衝撃を発生させ得るものであればよく、例えば樹脂で形成されるものであってもよい。また、本実施形態ではダイバーが自らに締結しているロープＲと、さがり綱１を接続するための接続具として、カラビナＣ（金属）を例としているが、この接続具が金属製以外のものであってもよく、段差部は、当該金属以外で形成された接続具との衝突時において、“コツン”という感触をダイバーが認識できる衝撃を発生させ得るものであればよい。
本実施形態では、段差部（金属）に熱収縮チューブで被覆することで、低温時に皮膚が張り付いてしまうような事故を抑止するものとしている。この被覆は、断熱性のあるもので被覆できればよく、塗装などによってもよい（段差部を金属以外で形成する場合には被覆が不要な場合もある）。ただし、この被覆によって、前記の“金属（カラビナ）との衝突時の衝撃”が得られなくならないように注意する必要がある。
【００３２】
本実施形態では、段差部を３ｍごとに設けるものを例としたが、より細かく（例えば１ｍごとに）段差部を設けるものであってもよい。
また、本実施形態では、段差部（発光部の両端）に接合部を設け、各ロープを着脱可能となるに構成することで、さがり綱の長さの調整、傷んだロープ部分の一部交換、不具合が生じた発光部の交換、等が簡便にできるようにしているが、段差部がロープに対して一体的に形成されるようなものであっても構わない。
【００３３】
本実施形態では、段差部に発光部を備えるものを例としたが、段差部に蓄光部を備えるようにしても良い。
図３には、蓄光部の一例を示した。蓄光部１５は、蓄光材によって形成された基本態様が円柱状の部材であり、上端部と下端部に端末金具Ｔのネジと螺合するネジ穴１５１、１５２を有する。蓄光部１５の外形寸法は発光部１１と同様であり、従って、発光部１１と置換可能なもの（段差部を形成するもの）である。これにより、電池等がなくても光を放つことが可能である。
なお、発光部と蓄光部の両方を備えさせるものであっても構わない。例えば、発光回路部１１３の発光体（ＬＥＤ）部分が内部に嵌めこまれる透明部材１１２を、蓄光材によって形成するように（発光部が蓄光材によってくるまれた構成に）してもよい。
【００３４】
なお、本実施形態では、発光部が赤色の光を発するものと例としたが、波長の長い可視光であればよい。
【００３５】
また、さがり綱のねじれ防止等ために、スイベルを備えるようにしてもよい。スイベルは、さがり綱の何れかの箇所に設けるものであればよく、例えば各段差部に設けるものであっても構わない。
【符号の説明】
【００３６】
１．．．さがり綱
１１．．．発光部（段差部）
１２．．．ロープ（索体）
１５．．．蓄光部（段差部）
２．．．浮
３．．．錘
Ｔ．．．端末金具（段差部）
ｅ１，ｅ２．．．一対の電極
【図１】
0003212588.tif 000003
【図２】
0003212588.tif 000004
【図３】
0003212588.tif 000005
【図４】
0003212588.tif 000006
【図５】
0003212588.tif 000007
【手続補正書】
【提出日】平成29年7月21日(2017.7.21)
【手続補正１】
【補正対象書類名】実用新案登録請求の範囲
【補正対象項目名】全文
【補正方法】変更
【補正の内容】
【実用新案登録請求の範囲】
【請求項１】
潜水作業者が潜降し、及び浮上するためのさがり綱であって、
所定間隔ごとに、金属又は樹脂との衝突時に衝撃を発生させる段差部が形成されていることを特徴とするさがり綱。
【請求項２】
前記段差部の段差が金属又は樹脂によって形成されていることを特徴とする請求項１に記載のさがり綱。
【請求項３】
前記段差部が金属で形成されている場合、当該金属が被覆されていることを特徴とする請求項２に記載のさがり綱。
【請求項４】
前記段差部が、索体とは別体に形成され、その両端部において端末加工された索体と着脱可能に接合される接合部を有することを特徴とする請求項１から３の何れかに記載のさがり綱。
【請求項５】
前記段差部が、発光部を備えることを特徴とする請求項１から４の何れかに記載のさがり綱。
【請求項６】
前記発光部が、表面に露出した一対の電極を備え、前記発光部が水没することによって前記一対の電極が導通し、前記発光部の発光が開始されることを特徴とする請求項５に記載のさがり綱。
【請求項７】
前記発光部が、波長の長い可視光を発光し、点滅することを特徴とする請求項５又は６に記載のさがり綱。
【請求項８】
前記発光部が、深さに応じて異なる点滅方式で点滅することを特徴とする請求項５から７の何れかに記載のさがり綱。
【請求項９】
前記段差部が、蓄光部を備えることを特徴とする請求項１から８の何れかに記載のさがり綱。
【請求項１０】
スイベルを備えることを特徴とする請求項１から９の何れかに記載のさがり綱。
【請求項１１】
前記段差部が、前記スイベルを有することを特徴とする請求項１０に記載のさがり綱。